【事件の表示】
　特許第３３３４３６５号「耐摩耗性を有する化粧紙」の請求項１に係る特許に対する特許異議の申立てについて、次のとおり決定する。
【結　論】
　特許第３３３４３６５号の請求項１に係る特許を維持する。
【理　由】
１．手続の経緯と本件発明について
　本件特許第３３３４３６５号は、平成６年９月２８日に出願され、平成１４年８月２日にその特許の設定登録がなされ、大日本印刷株式会社より特許異議の申立てがなされたものである。
　そして、本件の請求項１に係る発明は、特許明細書の記載からみて、その特許請求の範囲請求項１に記載された下記のとおりのものである。
「【請求項１】
化粧紙用の原紙上に、
ウレタン系樹脂をバインダーとしたインキにより印刷層を設け、
この表面層にウレタン系樹脂の盛り上げインキを用いて盛り上げ印刷による凹凸模様を設けた化粧紙であって、
この凹凸模様の凹部と凸部の高低差が１５〜５０μｍの範囲で、かつ、
凸部表面積の割合が、表面層全体の１５〜５０％を占めることを特徴とする
耐摩耗性を有する化粧紙。」
２．特許異議申立の理由の概要
　特許異議申立人　大日本印刷株式会社は、
甲第１号証：特開平３−２５８５４４号公報
甲第２号証：特開昭５７−１５９６５２号公報
甲第３号証：特開平６−６４１３１号公報
参考資料１：「１０１８８の化学商品」、昭和６３年１月３０日、化学工業日報社発行、第７０９頁「ポリウレタン樹脂」の項
参考資料２：日本印刷学会編「印刷工学便覧」、１９８７年７月２０日、技報堂出版発行、第９０２頁「表６−１．建材印刷の種類と分類」の表
を提出して、
　本件請求項１に係る発明は、甲第１〜３号証に記載された発明に基づいて当業者が容易に発明をすることができたものであり、特許法第２９条第２項の規定に違反して特許されたものであるから、特許を取消すべき旨主張している。
３．甲号各証に記載される発明
〔甲第１号証〕
　甲第１号証（特開平３−２５８５４４公報）には、
《ア》「１．印刷用原紙の上に、通常の印刷と並用して、又は単独で、ポリ塩化ビニル系樹脂と反応性アクリル樹脂を主成分とする印刷インキがパターン状に盛りあげて印刷されている事を特徴とする化粧シート。」（特許請求の範囲・請求項１）、
《イ》「〔発明が解決しようとする課題〕・・・ポリ塩化ビニルシートは熱加工性に優れているため、熱エンボス加工を施すことにより、凹凸感を現出させ、デザイン的に高級なものも表現することができるが、化粧シートとしては耐熱性に欠けるし、柔軟であるものの、耐摩耗性に欠けるという問題点がある。
〔課題を解決するための手段〕上記の問題点を解決すべく本発明は、印刷用原紙の上に、通常の印刷と並用して、又は単独で、ポリ塩化ビニル系樹脂と反応性アクリル樹脂を主成分とする印刷インキがパターン状に盛り上げて印刷されていることを特徴とする化粧シート、及び前記反応性アクリル樹脂の反応が過酸化物と熱を用いて完了するか、あるいは電離性放射線の照射によって完了することを特徴とする化学シートの製造方法を要旨とするものである。」（第１頁右下欄第１６行〜第２頁右上欄第７行）、
《ウ》「（通常の印刷：）グラビア印刷、オフセット印刷、凸版印刷等の通常の印刷ならば何でも良いが、好ましくはグラビア印刷を用いる（これは後述の盛り上げ印刷に適するためである）。」（第２頁右上欄第１５〜１９行）、
《エ》「（反応性アクリル樹脂：）重合性モノマーとして、単官能の２−エチルヘキシルアクリレート、・・・２官能の１，３ブタンジオールジアクリレート、・・・３官能のトリメチロールプロパントリアクリレート、・・・などを用いる。重合性オリゴマーとして、ポリエステルアクリレート、ポリウレタンアクリレート、・・・などを用いる。反応性アクリル樹脂は、重合性モノマーや重合性オリゴマーを主成分とする樹脂のことを指し、これらは、単独で用いても良いが、数種類を混合して用いても良い。また上記重合性モノマー、オリゴマーは官能基としてアクリロイル基をもつアクリル酸エステルの型であるが、アクリル酸エステルのかわりにメタクリル酸エステルを用いることもできる。」（第２頁右下欄第８行〜第３頁左上欄第１８行）、
《オ》「（ポリ塩化ビニル系樹脂と反応性アクリル樹脂を主成分とする印刷：）・・・転移したインキの凹凸厚さは、デザインに応じて設計される。厚い程、立体感のあるデザインを表現することができる。一方凹凸感よりも光沢感のみを期待する場合には、数ミクロンの厚さであっても良い。ただし、耐摩耗性を得るためには、１０ミクロン以上の厚さを有するのが好ましい。・・・また通常の印刷と並用する場合、凹凸を有する印刷パターンは、通常の印刷を施す前であっても、後であっても、また、その中間に設けても良い。それらは全てデザインに応じて決定されるべきである。」（第３頁左下欄第３行〜第４頁左上欄第２行）、
《カ》「〔作用〕本発明に係る化粧シートは、・・・前記ポリ塩化ビニル系樹脂が前記盛りあげの物理的な凹凸を印刷直後の乾燥または硬化まで維持し、高級デザインを表現しやすい成分として作用し、一方、反応性アクリル樹脂が、該インキに硬度を与え、耐摩耗性、耐溶剤性をはじめとする表面性能を与えるための働きをする。」（第４頁右上欄第１〜１１行）と記載され、
《キ》実施例欄には、実施例１として、薄葉紙に、ポリ塩化ビニル系樹脂を含むインキによる通常のベタ印刷の後、ポリ塩化ビニル系樹脂／反応性アクリル樹脂（トリメチロールプロパントリメタクリレート）〔重量比２／１〕の盛り上げインキで凹凸模様のテクスチャー状に３０μ盛り上げて印刷して化粧シートとしたことが示されている。
〔甲第２号証〕
　甲第２号証（特開昭５７−１５９６５２号公報）には、
《ク》「（１）基材に通常インクからなる模様層を印刷し、該模様層に重ねて電子線硬化性組成物からなる凸状模様層を設け、しかる後電子線を照射し、前記凸状模様層を硬化せしめることを特徴とする化粧材の製造法。」（特許請求の範囲・第１項）、
《ケ》「次に本発明における通常インクからなる模様層を構成する通常インクとしては、・・・インク用ビヒクルとしては、例えば、エチルセルロース、・・・等のセルロース誘導体、・・・などのスチレン樹脂及びスチレン共重合樹脂、・・・アクリル又はメタクリル樹脂の単独又は共重合樹脂、・・・などのロジンエステル樹脂、ポリ酢酸ビニル樹脂、クマロン樹脂、ビニルトルエン樹脂、塩化ビニル樹脂、ポリエステル樹脂、ポリウレタン樹脂、ブチラール樹脂、更にはこれらのものを何種類か混合したものの中から被印刷対象である前記基材との接着性等を考慮して適宜選択して用いる。」（第２頁右上欄第１７行〜左下欄第２０行）、
《コ》「次に本発明における電子線硬化性組成物からなる凸状模様層を構成する電子線硬化性組成物としては、・・・電子線硬化性化合物としては、例えば、分子中にエチレン性不飽和結合を有するプレポリマーもしくはオリゴマー例えば不飽和ポリエステル類、ポリエステルアクリレート、エポキシアクリレート、ウレタンアクリレート、・・・などの各種アクリレート類、ポリエステルメタクリレート、エポキシメタクリレート、ウレタンメタクリレート、・・・などの各種メタクリレート類などの一種または二種以上と、分子中にエチレン性不飽和結合を有するモノマー、例えば・・・ジエチレングリコールジメタクリレート等の多官能性化合物、及び／又は分子中に２個以上のチオール基を有するポリチオール化合物・・・などを混合して用いることができる。」（第２頁右下欄第６行〜第３頁右上欄第１６行）、
《サ》「以上のような本発明に係る化粧材の製造法によれば通常インクからなる模様層と凸状模様層とを意匠的に一致させることは容易であり、硬化に熱を要しないため多くの基材に適用が効き、しかも電子線照射のエネルギー効率が良いため高速生産が可能であり、硬化がほぼ完全なため堆積などによる圧力に強くつぶれにくい、耐摩耗性がすぐれているなどの利点を有する。」（第３頁右下欄末行〜第４頁左上欄第７行）と記載されている。
〔甲第３号証〕
　甲第３号証（特開平６−６４１３１号公報）には、
《コ》「【請求項１】 光輝性を有する熱可塑性樹脂層に絵柄層、絵柄層の絵柄に同調した模様を有する撥液絵柄層が順に積層され、少なくとも前記光輝性を有する熱可塑性樹脂層と他層との界面には凹凸模様が形成されており、さらに前記撥液絵柄層以外の面には該凹凸模様の深さよりも厚い透明樹脂層が積層された化粧シート。」（特許請求の範囲・請求項１）、
《サ》「【要約】
【目的】 照りと照りの移動感を表現し、かつ立体的な表面絵柄も表現できる化粧シートを提供する。
【構成】 光輝性を有する熱可塑性樹脂層２に絵柄層３、絵柄層の絵柄に同調した模様を有する撥液絵柄層４が順に積層され、光輝性を有する熱可塑性樹脂層上には凹凸模様６があり、さらに前記撥液絵柄層４上に凹凸模様の深さよりも厚い透明樹脂層５を形成すると、撥液絵柄層４上の透明樹脂層５がはじかれ、凹部絵柄模様が形成された化粧シートである。」（要約欄）、
《シ》「撥液絵柄層４としては、撥液性インキを公知の印刷法により形成すればよい。撥液性インキで印刷した部分は、透明樹脂層５を形成した後は、凹部となる。よって、化粧シートの凹部にしたい部分を撥液絵柄層とする。撥液性は、前記したビヒクルに撥液性シリコーン樹脂もしくはワックスを混合したインキにより発現する。例えば、シリコンオイルを１〜５％添加したウレタン系、あるいはアミノ系樹脂のインキが用いられる。なお、撥液絵柄層のインキ中に、艶消剤として粒径１〜１０μ程度のシリカ、炭酸カルシウム、硫酸バリウム等の粉末を添加して艶消しにすると、視覚的にも艶消の撥液絵柄部分が光沢のある周辺の透明樹脂層５に比べて凹んで見える効果があるため、撥液による凹凸感がさらに強調される。また、凹部が艶消しとなると、特に木目板の導管溝、トラバーチン大理石の凹孔、御影石劈開面の結晶粒などを表現するのに有効である。撥液絵柄層は、前記絵柄層と同調した模様で形成することがポイントである。例えば、化粧シートの模様が木目の場合、前記絵柄層で木目柄を２色印刷して、３色目に木目の導管柄あるいは春材部を撥液絵柄層として印刷する。石目柄の場合、たとえば、御影石の劈開面を表現する場合は、結晶粒のうち、艶の消えている部分又は凹んでいる部分を撥液絵柄層とする。あるいは、トラバーチンの板の場合、孔の部分を撥液絵柄層とする。」（第１４段落）、
《ス》「透明樹脂層５としては、撥液絵柄層によってはじかれる性質のもので無色透明、あるいは着色透明樹脂を用いる。実用上は耐磨耗性、耐汚染性のあることが好ましい。これらの樹脂としては、アクリル樹脂、エポキシ樹脂、ウレタン樹脂、アミノアルキッド樹脂、ポリエステル樹脂等の熱硬化性樹脂又は、電離放射線硬化性樹脂などの通常、化粧板の表面塗装に用いられる樹脂が使用できる。厚みは、５〜１００μ程度が好ましい。透明樹脂層の形成は、前記樹脂に必要により溶剤、着色剤、安定剤、硬化剤などを混合した塗料またはインキとして、公知の塗布方法または印刷方法で形成すればよい。これらの方法としては、グラビアコート、ロールコート、グラビアリバースコート、エアーナイフコート、キスコート、スプレーコートや、シルクスクリーン印刷などである。」（第１６段落）、
と記載されている。
〔参考資料１〕
　参考資料１（「１０１８８の化学商品」中の「ポリウレタン樹脂」の項）には、
「ポリウレタンの最終製品の物理的性質は、出発原料の比率や性質によって非常に大きく変わってくる。・・・一般に分子量が小さく分枝が多く、ヒドロキシル価が高いほど硬質樹脂となり、反対に高分子量、分枝間距離の増加、ヒドロキシル価が低いほど軟質可撓性樹脂となる。・・・ウレタン塗料は耐熱性、光沢性、耐摩耗性、耐薬品性、耐溶剤性に優れているためメラミン、アルキド、アクリル塗料に匹敵するも劣らない塗料であるが、現在比較的高価なためスキーの上塗り塗料などをはじめ各種木工塗料、金属塗料、高級塗料に使用されている。・・・」と記載されている。
〔参考資料２〕
　参考資料２（「印刷工学便覧」中の「表６−１．建材印刷の種類と分類」の表には、
薄葉紙に、グラビア印刷して、アミノアルキッド、ウレタン樹脂をラミネート後塗装、あるいは塗装後ラミネートする加工により壁・天井・家具に用いる印刷建材を得ることが示されている。
４．対比・判断
　本件請求項１に係る発明と、甲第１号証の実施例１に記載の発明との構成を対比するに、
後者の「凹凸模様に３０μ盛り上げて印刷」は、前者の「凹凸模様の凹部と凸部の高低差が１５〜５０μｍ」の範囲内にあるものと認められるから、
両者は、
「化粧紙用の原紙上に、
樹脂をバインダーとしたインキにより印刷層を設け、
この表面層に樹脂の盛り上げインキを用いて盛り上げ印刷による凹凸模様を設けた化粧紙であって、この凹凸模様の凹部と凸部の高低差が１５〜５０μｍの範囲で、耐摩耗性を有する化粧紙。」で一致するが、
〔相違点１〕印刷層インキの樹脂について、前者が「ウレタン系樹脂」であるのに対して、後者が「ポリ塩化ビニル系樹脂」である点、
〔相違点２〕盛り上げインキの樹脂について、前者が「ウレタン系樹脂」であるのに対して、後者の「ポリ塩化ビニル系樹脂と反応性アクリル樹脂を主成分とする盛り上げ印刷用インキ」は、実質的に、「ポリ塩化ビニル系樹脂に、少量の架橋硬化反応性アクリル樹脂を付加した特殊インキ」（ポリ塩化ビニル系樹脂に、少量の架橋硬化反応性アクリル樹脂を付加して、その架橋硬化反応により表面硬度や耐摩耗性を強化した特殊な組成のインキ）である点、
（該反応性アクリル樹脂の数十の原料成分の一つとして「ポリウレタンアクリレート」というウレタン結合を一部含有するアクリル系化合物が列記されているものの、もとより前者の「ウレタン系樹脂の盛り上げインキ」に相当するものではない。）
〔相違点３〕凸部表面積の割合について、前者が「表面層全体の１５〜５０％を占める」と規定するのに対して、後者が何ら規定しない点で相違する。
  相違点について検討する。
　〔相違点１〕に関して、甲第２号証には、凹凸模様付き化粧紙の印刷層インキの樹脂として、セルロース誘導体やロジン等の他、合成樹脂が列記され、その一つとして「ポリウレタン樹脂」が記載されているが、数十の羅列の一つに過ぎず、特に「ポリウレタン樹脂」を取り上げて、甲第１号証のものに結び付ける契機にはなり得ない。
　〔相違点２〕に関して、甲第２号証には、凹凸模様付き化粧紙の凹凸模様層の「電子線硬化性樹脂組成物」の樹脂組成として、「不飽和ポリエステル」、「ポリチオール化合物」、「エチレン性不飽和結合含有アクリル」等種々の態様が列記され、その内の「エチレン性不飽和結合含有アクリル」樹脂組成の原料成分の数十の羅列の一つとして「ウレタン（メタ）アクリレート」が記載されているが、原料成分の羅列のごく一部にすぎず、直ちに「ウレタン系樹脂」に結びつくものでもないから、甲第１号証のものに結び付けても、盛り上げインキをウレタン系樹脂のものとする契機にはなり得ない。
　甲第３号証には、盛り上げインキによる化粧シート製造とは、方法もインキ材料も大きく相違する、いわゆる『はじき印刷の化粧シート製造法』（シリコン系樹脂のはじき印刷パターンの上に、ベタ印刷後に、はじかれてパターン模様になる流動性インキ層を重ねる製造法）が記載されているにすぎない。
　また、参考資料１〜２をみても、ウレタン系樹脂の分子設計による性能の可変性等が明らかになるのみであり、やはり、凹凸模様付き化粧シートの印刷層インキ、ないし、盛り上げインキの樹脂として、ウレタン系樹脂を選択する契機にはなり得ない。
　〔相違点３〕に関して、甲号各証には、凸部表面積割合につき、何ら着目するところがない。
　結局、甲第２〜３号証、参考資料１〜２には、〔相違点１〜３〕を解消する何らの記載も示唆もない。
  そして、請求項１に係る発明は、相違点に係る構成を備えることにより、明細書記載の優れた作用効果（表面に擦過傷を受けても白化現象が目立たない。摩耗で柄印刷層まで消失することがない。盛り上げ印刷による凹凸模様で独特の意匠感が得られる。等）（【発明の効果】欄参照）を奏するものと認められる。
　以上のとおり、請求項１に係る発明は、その発明の属する技術の分野における通常の知識を有する者が、甲第１〜３号証に記載された発明に基づいて容易に発明をすることができたものとすることはできない。
５．むすび
  したがって、特許異議申立ての理由及び証拠によっては、本件請求項１に係る発明の特許を取り消すことはできない。
　また、他に本件請求項１に係る発明の特許を取り消すべき理由を発見しない。
　よって、結論のとおり決定する。
【異議決定日】
平成１５年６月３０日（２００３．６．３０）